(57)【要約】      （修正有）【課題】塗り絵に着色した表面を保護し退化を防ぎ、かつ、光沢や艶を表現できる熱転写シートを提供する。【解決手段】塗り絵のできる転写シートは、少なくとも上面が離形性のベースシート１と、ベースシートの上面の上に形成された保護層２（透明ニス）と、保護層の上にインクにより形成され、図柄を構成するインク層３と、保護層とインク層とを覆うように、接着剤により形成された接着層４の４層で構成されている。塗り絵部分に着色したものを保護層で覆うことにより着色を鮮やかにさせ、かつ、耐久性を高める。【選択図】図６
0003217838.tif 000002
【実用新案登録請求の範囲】
【請求項１】
少なくとも上面が離形性のベースシートと、前記ベースシートの前記上面の上に形成された保護層と、前記保護層の上にインクにより形成され、図柄を構成するインク層と、前記保護層と前記インク層とを覆うように、接着剤により形成された接着層と、を備える熱転写シート。
【請求項２】
前記接着層の接着面を粗雑面に形成したことを特徴とする請求項１に記載の熱転写シート。
【考案の詳細な説明】
【技術分野】
【０００１】本考案は、塗り絵などを熱転写できる熱転写シートに関するものである。
【背景技術】
【０００２】従来、塗り絵を衣服などに熱転写する熱転写シートとして、特許文献１に記載のものが知られている。
【先行技術文献】
【特許文献】
【０００３】
【特許文献１】実開昭５４−０８０３１１
【考案の概要】
【考案が解決しようとする課題】
【０００４】長期の使用に伴って、塗り絵の枠を構成するものとして印刷されたインク層が、退化するという問題点があった。本考案は、このような従来技術の問題点を解決することを目的とする。
【課題を解決するための手段】
【０００５】上記目的を達成するために、本考案は、熱転写シートであって、少なくとも上面が離形性のベースシートと、前記ベースシートの前記上面の上に形成された保護層と、前記保護層の上にインクにより形成され、図柄を構成するインク層と、前記保護層と前記インク層とを覆うように、接着剤により形成された接着層と、を備える。
【考案の効果】
【０００６】保護層があるために、水分や摩擦などへのインク層の耐久性が高くなり、長期の使用に伴ってインク層が退化することがなく、しかも、全体につやがあって見栄えも良い、という効果が得られる。また、接着層の表面に粗雑面として微小な凹凸を形成しておくことで、いわゆる塗り絵の枠に基づき接着層の表面に自由に着色する際、色鉛筆、油性の顔料ペンなどの着色がされやすい、という効果が得られる。
【図面の簡単な説明】
【０００７】
【図１】本考案の塗り絵熱転写シート一例の平面図を示す。
【図２】図３における断面場所を示す図
【図３】図２で示した場所の断面図
【図４】図１における塗り絵転写シートの構造を分解して例示を示す図。
【図５】図６における断面場所を示す図
【図６】図５における着色した後の断面場所を示す図
【図７】本考案の塗り絵熱転写シートの転写方法を示した図  （ａ）…本考案の塗り絵熱転写シートを転写する際の配置図  （ｂ）…本考案の塗り絵熱転写シートを家庭用アイロンで加熱加圧処理を行っている図  （ｃ）…本考案の塗り絵熱転写シートを家庭用アイロンで加熱加圧処理を行った後に離形紙を除去した様子を示す図
【図８】熱転写工程が完了した後の断面図
【考案を実施するための形態】
【０００８】図１は、本考案の一実施の形態による熱転写シートを例示する平面図である。この熱転写シート１０１には、図柄５１として、インクにより例えばヘリコプターが描かれている。
【０００９】図２は、熱転写シート１０１について、ある帯状領域６（点線に挟まれた領域）を例示する平面図である。図３は、帯状領域６を例として、熱転写シート１０１の断面構造を例示する斜視断面図である。熱転写シート１０１は、上面が離形性であるベースシート１の上に、保護層２が形成されている。ベースシート１は、例えば離形紙である。保護層２は、例えば透明ニスの層である。保護層２の上には、図柄５１を構成するインク層３が形成されている。インク層３は、例えば、転写用インクを保護層２の上に印刷することにより形成される。保護層２及びその上のインク層３を覆うように、接着層４が形成されている。接着層４は、接着剤の層である。接着層４は、図柄５１などを、例えば布地などの転写対象物に熱転写するときに、図柄５１などを転写対象物に接着させる働きをするものである。接着層４の材料については、当分野において周知であるので、詳細な説明は略する。
【００１０】図４は、熱転写シート１０１について、各層を分解して例示する斜視図である。ベースシート１の上面の所定領域５（点線で示す）は、図柄５１を構成するインク層３が形成される予定の領域である。保護層２は、好ましくは、ベースシート１の上面の所定部位５よりも幾分か広い領域に、例えば塗布により形成される。保護層２の上に、インク層３が形成される。保護層２及びインク層３を覆うように、接着層４が形成される。接着層４は、保護層２と同様に、所定領域５よりも幾分広い領域を覆うように形成される。
【００１１】図５は、一例として帯状領域６（点線に挟まれた領域）にユーザが着色をした後の熱転写シート１０１を示す平面図である。図６は、図５に示す着色後の熱転写シート１０１の断面構造を例示する斜視断面図である。ユーザは、図柄５１を参照しつつ、色鉛筆、油性の顔料ペンなどの筆記具等を用いて、接着層４の上面に着色をすることにより、いわゆる塗り絵を行う。それにより、接着層４の上面に着色層８が形成される。
【００１２】接着層４において、表面に微小な凹凸をつくっておくことで、いわゆる塗り絵の枠に基づき接着層４の表面に自由に着色する際、色鉛筆、油性の顔料ペンなどの着色がされやすい、という効果が得られる。
【００１３】図７は、着色が完了した後に熱転写シート１０１を、一例として布９である転写対象物に、熱転写する工程を例示する工程図である。例示する工程では、まず、塗り絵が完了した後の熱転写シート１０１を、接着層４及び着色層８が布９に接し、ベースシート１が上面となるように、布９の上に配置する（図７（ａ））。次に、ベースシート１の上から、例えばアイロン１０を熱転写シート１０１に押し当てることにより、加熱加圧処理を行う。この処理により、接着層４が布９に接着され、インク層３及び着色層８が布９の表面に固定される（図７（ｂ））。すなわち、インク層３及び着色層８が、布９に熱転写される。次に、アイロン１０を除去した後、ベースシート１を除去することにより、熱転写工程が完了する（図７（ｃ））。
【００１４】図８は、熱転写工程が完了した後の熱転写シート１０１の断面構造を例示する正面断面図である。布９の表面に、接着層４が接着されており、それにより、インク層３及び着色層８が布９の表面に固定されている。接着層４及びインク層３は、保護層２に覆われている。保護層２があるために、長期の使用に伴ってインク層３が退化することがなく、しかも、全体につやがあって見栄えも良い、という効果が得られる。
なお、転写対象物は、接着層４が接着する対象物であれば足り、布９だけでなく、例えば紙であってもよい。
【符号の説明】
【００１５】  １０１…本考案の転写シート
５１…塗り絵デザイン一例
１…離形紙（ベースシート）
２…透明ニス（保護層）
３…転写用インク（インク層）
４…接着剤（接着層）
５…２〜４の塗付部分
６…図３の斜視断面図の抽出部分
７…図６の斜視断面図の抽出部分
８…油性インクや色鉛筆など顔料
９…布
１０…家庭用アイロン
１１…転写された塗り絵
Ａ…位置関係を示す点
Ｂ…位置関係を示す点
Ｃ…位置関係を示す点
Ｄ…位置関係を示す点
（ａ）…本考案の塗り絵熱転写シートを転写する際の配置図
（ｂ）…本考案の塗り絵熱転写シートを家庭用アイロンで加熱加圧処理を行っている図
（ｃ）…本考案の塗り絵熱転写シートを家庭用アイロンで加熱加圧処理を行った後に離形紙を除去した様子を示す図
【図１】
0003217838.tif 000003
【図２】
0003217838.tif 000004
【図３】
0003217838.tif 000005
【図４】
0003217838.tif 000006
【図５】
0003217838.tif 000007
【図６】
0003217838.tif 000008
【図７】
0003217838.tif 000009
【図８】
0003217838.tif 000010